Podtech/llm-jp-corpus-v4-ja_patent huggingface dataset:
(57)【要約】      （修正有）【課題】日本における家屋においてはいまだにトタンぶきの家屋が多い、特にこのような住居には年老いた人が住んでいる。トタンぶきの屋根は、何年かに一度は塗り直しが必要となる、その為には屋根に着いた汚れやサビを取る事が必要となる。年老いた当人が屋根に上り作業をすることが十分考えられる、長い時間の屋根の上での労働は危険を伴う、まして波トタンにおける汚れやサビ取りを行うには、平トタンの作業に比べて時間が掛かる面倒な仕事である。これらのことを解決し、なおかつ綺麗に仕上がるようにする。【解決手段】波トタンサビ汚れ取りヘラ、ブラシを使用して波トタンの谷の部分の汚れやサビを取ることにより解決することが出来る。【選択図】図１
2013169459.tif 000002
【特許請求の範囲】
【請求項１】
波トタンの谷の部分に接する部分は図７のようにトタンの溝に合うように先端を合わせたトタンのサビ、汚れ取りヘラ、ブラシである。
【請求項２】
先端は図１の用に幾つかに分ける、分ける数は限定しない、１つどもいい。
【請求項３】
図７の用に本考案のＡの部分が波トタンの山の部分Ｂと隙間を開けるものである。
【請求項４】
汚れやサビがひどくてブラシ３で対応できないところは、ヘラの部分２で対応できる物である。ヘラの部分はＵ型の丸みを付ける。
【発明の詳細な説明】
【技術分野】
【０００１】本考案は、一般木造家屋住宅などに使用されているトタンに関するものである。
【背景技術】
【０００２】従来のブラシは、図８の用にトタンの山の部分にブラシの先端がありトタンの山の部分だけを磨くことのできる物であった。汚れのひどい谷の部分は、磨くことができなかった。これを改良する為に考え出された。【０００３】近代化の進む日本において、いまだトタン屋根の家屋が多い現状サビや汚れを取り、トタンは数年に一度塗り替えが必要となる、高いところでの作業で落ちれば大けがをする。サビを取り汚れを取りその後にペンキ塗りをする、この工程を行う為には長い時間屋根の上にいる必要がある、長い時間いれば居るほど危険性が増す、これらの時間を短縮し綺麗に仕上がるように考え出された。
【発明の開示】
【発明が解決しようとする課題】
【０００４】上述の如く、従来の技術においてはサビ、汚れ取りは手間のかかる面倒な仕事であった。
波トタンには、山と谷の部分がありその為に一度に沢山のサビや汚れを取ることは難しいところがある、なかには水道の配管に使う鉄パイプで、トタンの谷の部分の汚れを取ろうとするところが見られた。
これらを解決するもので、又、高いところでの作業、長い時間いることは危険が伴い短時間で汚れやサビを取り綺麗にしなければならない。
【課題を解決する為の手段】
【０００５】本考案は波トタン５の谷の部分に接する部分を、トタンの谷に合うよう図１の用にヘラ２とブラシ３で構成する。
【０００６】本考案の先端の部分は、図１の用に幾つかに分ける、こうすることにより一度に何カ所も同時にサビや汚れを取ることができる。
数は限定せずいくつでもいい。
【０００７】波トタンの山の部分Ｂが、本考案のＡの部分と接触しない隙間を空ける。
このことにより、本考案の２と３の部分が波トタンの谷の部分にピッタリと合い図７のようになる。
【０００８】古くなった家屋の屋根に葺かれているトタンには、汚れやサビのひどい物があり、ブラシ式では対応出来ないものもある、それを解決する為に本考案の一部を図１の２のように、ヘラ式にして対応する。
【発明の効果】
【０００９】本考案を使用することにより、一度にたくさんのトタンが綺麗にでき時間の短縮ができ有効である。
又、本考案のトタンと接する部分の幅や高さを変えることによりタイルの目地や、岩のようにでこぼこしたものも綺麗に磨くことができ有効である。
又、汚れやサビがひどくてブラシの部分で対応出来ないところは、図４のようにヘラの部分を使用することにより汚れ４を取る効果があり有効である。
又、本考案２のヘラの部分の構造は、既存のブラシにも対応でき有効であった。
【発明を実施する為の最良の形態】
【００１０】本考案は、トタンの谷の部分の汚れやサビを一度に取る為に波トタンの溝に合わせ考案されたものでブラシの部分とヘラの部分で構成する。
【実施例】
【００１１】一度に幾つもの波トタンの谷の部分を磨くことができ、機能的であり効率も良く、今までのものよりきれいに仕上がった。本考案のＡの部分と波トタンのＢの部分を離すことにより、本考案の２の部分が波トタンの溝の部分にピッタリと合い、汚れやサビが綺麗に取れた。
古い家屋の屋根のトタンはサビや汚れがひどく、ブラシでは対応できないところは、図４の用に本考案のヘラ２を使うことにより綺麗にサビや汚れが取れた。
今までになくきれいにしかも時間を短縮することもできた。
本考案のトタンと接する部分の幅や高さを変えることによりタイルの目地や岩にも対応でき綺麗に磨きあげることもできた。
又、本考案のヘラ２の部分を既存のブラシに取り付けた場合、先端の部分は丸くなく平の方が綺麗に出来た。
【産業上の利用の可能性】
【００１２】本考案は家屋の屋根に使われているトタンのサビ取り、汚れ取りなどの産業分野で利用することができる。
【図面の簡単な説明】
【００１３】
【図１】本考案の全体図である。
【図２】本考案のヘラの部分２を表わす。
【図３】本考案のブラシの部分３を表わす。
【図４】本考案のヘラの部分を使用するときの状態を表す。
【図５】普通の状態で使うときを表わす。
【図６】本考案を説明しやすくする為の本考案と波トタンの図面である。
【図７】本考案を使用した場合の本考案と波トタンの状態を表す。
【図８】既存のデッキブラシ６を使用して波トタン５を磨こうとした状態を表す。［図６］［図７］［図８］は、本考案の説明を解りやすくする為に拡大したものである。
【符号の説明】
【００１４】１、  本考案のブラシのである。
２、  本考案のヘラの部分である。
３、  本考案のブラシの部分である。
４、  本考案を説明する為のトタンにおける汚れである。
５、  波トタンである。
６、  本考案と比較する為の既存のデッキブラシの先端を表わす。
Ａ、  本考案の谷の部分である。
Ｂ、  波トタンの山の部分である。
【図１】
2013169459.tif 000003
【図２】
2013169459.tif 000004
【図３】
2013169459.tif 000005
【図４】
2013169459.tif 000006
【図５】
2013169459.tif 000007
【図６】
2013169459.tif 000008
【図７】
2013169459.tif 000009
【図８】
2013169459.tif 000010
(57)【要約】【課題】日本における家屋においては、いまだにトタン葺きの家屋が多い、特にこのような住居には年老いた人が住んでいる。  トタン葺きの屋根は何年かに一度は塗り直しが必要となる。その為には屋根に着いた汚れやサビを取る事が必要となる。年老いた当人が屋根に上り作業をすることが十分考えられる、長い時間の屋根の上での労働は危険を伴う、まして波トタンにおける汚れやサビ取りを行うには、平トタンの作業に比べて時間がかかる面倒な仕事である。これらのことを解決し、なおかつ綺麗に仕上がるように考え出されたものである。【解決手段】本考案の波トタンのサビ汚れ取りブラシ２を使用して、波トタン３の山の部分の汚れやサビを取ることができ、解決をすることが出来る。【選択図】図３
2013169460.tif 000002
【特許請求の範囲】
【請求項１】
波トタンの山の部分のサビ、汚れ取りである。
【請求項２】
波トタンと接する部分は、図１の用に幾つかに分ける数は限定しない、１つでもいい
【請求項３】
図３の用に本考案のＡの部分が波トタンの谷の部分Ｂと隙間を開けるものである。
【発明の詳細な説明】
【技術分野】
【０００１】本考案は、一般家屋住宅などに使用されているトタンに関するものである。
【背景技術】
【０００２】図６の用に従来のブラシ４では、トタンの山の部分３にブラシの先端があり、波トタンの先端の部分しか磨くことが出来なかった。【０００３】近代化の進む日本において、いまだトタン屋根の家屋が多い現状において、トタンのサビや汚れ取りを行い、数年に一度塗り替えが必要となる。
高いところの作業で落ちれば大怪我をする、サビを取り汚れを取りその後にペンキ塗りをする、この工程を行う為には長い時間屋根の上にいる必要がある、長い時間いれば居るほど危険性が増す、これらの時間を短縮し綺麗に仕上がるように考え出された。
【発明の開示】
【発明が解決しようとする課題】
【０００４】上述の如く、従来の技術においてはサビ、汚れ取りは手間のかかる面倒な仕事であった。波トタンは山と谷の部分があり図６の用にブラシ４で汚れを取ろうとしても、谷の部分に向かう横の部分は磨くことの出来ない歯がゆいもので、形だけのサビ、汚れとりであった、これらを解決するもので、又、高いところでの作業、長い時間いることは危険が伴い短時間で汚れやサビを取ることが要求される。
【課題を解決する為の手段】
【０００５】本考案のブラシの先端２を使い波トタン３の山の部分全てを覆うようにしてサビ、汚れ取をとる。
【０００６】本考案の先端と波トタンと接する部分は一度に何カ所も磨く事が出来る用に幾つにかに分ける、１つであってもいい。
【０００７】図３の用にＡとＢの間に隙間と作る、こうすることにより、２のブラシの部分と３の波トタンの山の部分が隙間なく接するようになる。
【発明の効果】
【０００８】本考案を使用することにより、一度に沢山のトタンを短時間で磨き上げる事が出来た。
又、本考案のブラシ２をトタンの接する部分の幅や高さを変えることによりタイルの目地や、岩の用にでこぼこしたものも綺麗に磨きあげることが出来た。
【発明を実施する為の最良の形態】
【０００９】本考案は、波トタンの山の部分の汚れやサビを一度に取る為に波トタンの山の部分に合うように考案されたもので、ブラシの部分を波トタンの山の部分にピッタリと合うように考えだされた。
【実施例】
【００１０】一度に幾つもの波トタンの山の部分を磨きあげる事が出来、機能的で効率も良く、今までのものより綺麗に短時間で仕上がった。
本考案のＡの部分と波トタンのＢの部分を離すことにより、本考案の２のブラシの部分が波トタンの山の部分３とピッタリと合い、汚れやサビが綺麗に取れた。
古い家屋の屋根のトタンはサビや汚れがひどく取れないものだが本考案は波トタンの山の部分を一度に力を入れて磨くことができ綺麗にサビや汚れがとれしかも、時間も短縮することが出来た。
本考案のトタンと接する部分の幅や高さを変えることにより、タイルの目地や岩を磨くことが出来ることも解った。
【産業上の利用の可能性】
【００１１】本考案は、家屋の屋根に使われているトタンのサビ取り、汚れ取りなどの産業分野で利用することが出来る。
【図面の簡単な説明】
【００１２】
【図１】本考案の全体図である
【図２】本考案を解りやすくする為のブラシの部分の拡大図である。
【図３】本考案を実行したときの本考案と波トタンの状態を表した拡大図面である。
【図４】本考案を波トタンに乗せた状態の側面図である。
【図５】本考案の図４の正面図である。
【図６】既存のブラシと波トタンの使用時の状態である。
【符号の説明】
【００１３】１、  ブラシの台の部分である
２、  本考案のブラシである
３、  波トタンである
４、  従来のブラシである。
Ａ    波トタンの底と接しないように本考案を実現する為の工夫場所である。
Ｂ    波トタンの底の部分である
【図１】
2013169460.tif 000003
【図２】
2013169460.tif 000004
【図３】
2013169460.tif 000005
【図４】
2013169460.tif 000006
【図５】
2013169460.tif 000007
【図６】
2013169460.tif 000008
(57)【要約】【課題】冷えた足のまま寝たり、夜中トイレ等に起きた後足が冷たく寝むれない事が多々ある。本発明は、寒い冬布団の中で袋を使用する事で冷たい足を保護し、温かく寝むる事が可能になった足温具を提供する。【解決手段】薄く軽く温かい化繊の毛布を使用して足の冷えを防ぎ、シリコンの薄い板を袋の入口に使用し、足の出し入れを容易にした事を特徴とした。【選択図】図１
2013169455.tif 000002
【特許請求の範囲】
【請求項１】
薄く軽く温かい化繊の布を使用し、二重の袋状にして外側の袋より中側の袋に少々のゆとりをもたせ袋の入口にシリコンの薄い板を使用し、袋の入口を盛り上げ足の出し入れを容易にした事を特徴とする足温具。
【発明の詳細な説明】
【技術分野】
【０００１】  本発明は、寝る時や、夜中一度トイレ等に起きた後の布団の中での足の冷たさを解決する足温具に関するものである。
【背景技術】
【０００２】  従来、布団の中では素足で寝るものであった。
【先行技術文献】
【０００３】
【発明の概要】
【発明が解決しようとする課題】
【０００４】  冷えた足のまま寝たり、夜中トイレ等に起きた後足が冷たく寝むれない事が多々ある。本発明は、以上の問題を解決するものである。
【課題を解決するための手段】
【０００５】  上記問題点を解決するため本発明は、温かく薄く軽い化繊の毛布を使用し、二重の袋状（１）にし、中側の布は外側の布よりゆとりをもたせ足に布がほんの少し触るようにする。袋の入口の上部に、シリコンの板の両先端にボタンの穴が開いたもの（２）を布を縮めながら通し、二重三重に折り足が布団の中で出し入れしやすい様に入口を少々盛り上げ、袋の下の部分の入口は平にし、上部と下の部分の交わる入口の所にボタン（３）をつける。
【発明の効果】
【０００６】  本発明は、寝る時、再度布団に入った時の足の冷たさを防ぎ、電気あんかや湯たんぽ等を使用しなくとも足の温かさを保つ事が出来る足温具である。
【図面の簡単な説明】
【０００７】
【図１】本発明の中側の図である。
【図２】本発明の入口のシリコンの板とボタンの図である。
【発明を実施するための形態】
【０００８】  以下、本発明の実施の形態を説明する。
（イ）温かく薄く軽い化繊の毛布を使用し、二重の袋状にする。
（ロ）足を出し入れする為の入口上部にシリコンの薄い板を通し、布を縮めて足の出し入れを容易にした。
本発明は、寒い冬布団の中で袋を使用する事で冷たい足を保護し、温かく寝る事が出来る。
又、化繊の布を使用した事と袋の入口のシリコンの板をぬく事で、洗濯も乾かす事も容易になり、清潔に保つ事が出来る。
【符号の説明】
【０００９】（１）化繊の袋
（２）シリコンの薄い板
（３）シリコンのボタン
【図１】
2013169455.tif 000003
【図２】
2013169455.tif 000004
(57)【要約】【課題】  洗濯物を洗濯したあと、洗濯物干し用ハンガーに洗濯物を一つ一つ洗濯バサミに挟んで干していたので干す手間と時間がかかっていた。  本発明は、洗濯物を干す手間と時間を短縮できるように工夫したネット付き洗濯物干し用ハンガーを提供する。【解決手段】  格子状の洗濯ロープと洗濯用ネットの間にリングを連設し、格子状の洗濯ロープと洗濯バサミの間にリングを連設し、洗濯用ネットの内側中央に格子状の洗濯ロープをしばるヒモを取り付け格子状の洗濯ロープの両端にフックを設けたことを特徴とするネット付き洗濯物干し用ハンガー。【選択図】図１
2013169458.tif 000002
【特許請求の範囲】
【請求項１】
格子状の洗濯ロープ（１）に洗濯用リング（３）を介して洗濯用ネット（２）を連設し、洗濯用ネット（２）に格子状の洗濯ロープ（１）をしばるヒモ（７）を取り付け、格子状の洗濯ロープ（１）に洗濯バサミ用リング（５）を連設し、洗濯バサミ（４）を洗濯バサミ用リング（５）に連設し、格子状の洗濯ロープ（１）の両端にフック（６）を設けたネット付き洗たく物干しハンガー。
【発明の詳細な説明】
【技術分野】
【０００１】  本発明は、洗濯物を干す手間と時間を短縮できるように工夫したネット付き洗濯物干し用ハンガーに関するものである。
【背景技術】
【０００２】  従来、ひも状のロープに、リングを介して洗濯バサミを連設した洗濯物干しロープがあった。
【先行技術文献】
【特許文献】
【０００３】
【特許文献１】  特開２００１−２７６４９０号公報
【発明の概要】
【発明が解決しようとする課題】
【０００４】  従来の物干しハンガーは、洗濯物を洗濯したあと、一つ一つハンガーに吊るして干していたのでハンガーに吊るす手間と時間がかかっていた。
本発明は、以上の問題点を解決するためのものである。
【課題を解決するための手段】
【０００５】  上記問題点を解決するため、本発明は格子状の洗濯ロープ（１）に洗濯ネット用リング（３）を介して洗濯用ネット（２）を連設し、洗濯用ネット（２）に格子状の洗濯ロープ（１）をしばるヒモ（７）を洗濯用ネット（２）の内側中央にヒモ用リング（８）を介して設け、格子状の洗濯ロープ（１）に洗濯バサミ用リング（５）を連設し、洗濯バサミ（４）を洗濯バサミ用リング（５）に連設し、格子状の洗濯ロープ（１）の両端にフック（６）を設ける。
以上の構成よりなるネット付き洗濯物干し用ハンガー。
【発明の効果】
【０００６】  従来、洗濯物を洗濯したあと洗濯物干しハンガーの洗濯バサミに一つ一つ挟んで干していたので手間と時間がかかっていた。
本発明は、洗濯する前に、洗濯ロープに取り付けた洗濯バサミに洗濯物を挟んで洗濯ロープごと洗濯ネットの中に入れて洗濯をし、洗濯したあと、洗濯ネットより取り出して洗濯ロープごと干すので干す手間と時間を短縮することができる。
【図面の簡単な説明】
【０００７】
【図１】  本発明の取り付け状態を示した説明図である。
【図２】  本発明の使用状態を示した説明図である。
【発明を実施するための形態】
【０００８】  以下、本発明の実施の形態を説明する。
（イ）格子状の洗濯ロープ（１）に洗濯ネット用リング（３）を連設し、洗濯ネット用リ    ング（３）に洗濯用ネット（２）を設ける。
（ロ）格子状の洗濯ロープ（１）に洗濯バサミ用リング（５）を連設、洗濯バサミ用リン    グ（５）に洗濯バサミ（４）を設ける。
（ハ）格子状の洗濯ロープ（１）の両端にフック（６）を設ける。
（ニ）洗濯用ネット（２）の内側中央に格子状の洗濯ロープ（１）をしばるヒモを設ける    ため洗濯用ネット（２）のアミにヒモ用リング（８）を介してロープをしばるヒモ（    ７）を設ける。
本発明は以上のような構造である。
本発明を使用するときは、洗濯物を洗濯する前に格子状の洗濯ロープ（１）に設けた洗濯バサミ（４）に小物の洗濯物を挟んでおく。
洗濯するときは、格子状の洗濯ロープ（１）のからみを防ぐため、格子状の洗濯ロープ（１）を束ねてしばり、洗濯用ネット（２）の中へ入れ、ファスナー（９）を閉めて洗濯する。
【符号の説明】
【０００９】  １  格子状の洗濯ロープ
２  洗濯用ネット
３  洗濯ネット用リング
４  洗濯バサミ
５  洗濯バサミ用リング
６  フック
７  ロープをしばるヒモ
８  ヒモ用リング
９  ファスナー
【図１】
2013169458.tif 000003
【図２】
2013169458.tif 000004
(57)【要約】【課題】食事で衛生用マスクを外す際に口当てマスク部の内側面を清潔に保ちつつ、眼鏡と併用した際に吐息によって眼鏡のレンズが曇らない衛生用マスクの提供を課題としている。【解決手段】上下方向の略中央において両側端を結ぶ折れ線３と、内側面上部に粘着性テープ４とを具備した扁平状の口当てマスク部１と、その口当てマスク部の両側端に耳に装着するための２本の耳掛紐２とを備えた衛生用マスク。【選択図】図１
2013169454.tif 000002
【特許請求の範囲】
【請求項１】
上下方向の略中央において両側端を結ぶ折れ線と、内側面上部に粘着性テープとを具備した扁平状の口当てマスク部と、その口当てマスク部の両側端に耳に装着するための２本の耳掛紐とを備えた衛生用マスク。
【請求項２】
前記折れ線を軸として、内側面上部の前記粘着性テープと、内側面下部の前記口当てマスク部とが接するように折り畳むことができる前記口当てマスク部を具備する請求項１に記載の衛生用マスク。
【請求項３】
前記口当てマスク部の内側面上部の前記粘着性テープを直接顔面に貼り付けられる構造の請求項１に記載の衛生用マスク。
【発明の詳細な説明】
【技術分野】
【０００１】  本発明は、本発明は、扁平状の衛生用マスクに関する。
【従来技術】
【０００２】従来、一般的な衛生用マスクは、不織布やガーゼなどの素材を用いて鼻と口を覆う扁平状の口当てマスク部と、この口当てマスク部の両側端のそれぞれの上下端に取り付けて耳に掛けられるようにしたゴム輪状の耳掛紐で構成されている。
【発明が解決しようとする課題】
【０００３】しかしながら上記の技術においては、食事で衛生用マスクを外す際に、衛生用マスクはサイズが大きくポケットなどに収納することが難しいため衛生用マスクの設置場所を確保する必要があり、衛生用マスクを食事テーブル上に置いた場合、鼻や口に接する口当てマスク部の内側面に飛沫などが付着して清潔な状態を保てないため、感染リスクが増大するという課題がある。
【０００４】また、衛生用マスクを眼鏡と併用した際に、特に気温が低い冬においては、吐息により眼鏡のレンズが曇ってしまうという課題もある。
【課題を解決するための手段】
【０００５】上記の課題を解決するための第一考案は、上下方向の略中央において両側端を結ぶ折れ線と、内側面上部に粘着性テープとを具備した扁平状の口当てマスク部と、その口当てマスク部の両側端に耳に装着するための２本の耳掛紐とを備えた衛生用マスク。
【０００６】上記の課題を解決するための第二考案は、前記折れ線を軸として、内側面上部の前記粘着性テープと、内側面下部の前記口当てマスク部とが接するように折り畳むことができる前記口当てマスク部を具備する衛生用マスク。
【０００７】上記の課題を解決するための第三考案は、前記口当てマスク部の内側面上部の前記粘着性テープを直接顔面に貼り付けられる構造の衛生用マスク。
【発明の効果】
【０００８】第一、第二および第三考案によれば、上下方向の略中央において両側端を結ぶ折れ線を軸として、内側面上部に具備された粘着性テープと、内側面下部の口当てマスク部とが接するように口当てマスク部を折り畳むことができるため、鼻や口に接する口当てマスク部の内側面を密閉して清潔な状況を保つことが可能となり、感染リスクが増大しない効果がある。さらに前記口当てマスク部を折り畳むことで表面積が約半分となるため、ポケットなどに収納しやすい効果もある。
【０００９】第一、第二および第三考案によれば、前記口当てマスク部の内側面上部の前記粘着性テープを直接顔面に貼り付けられる構造であるため、衛生用マスクの装着時に口当てマスク部の上部の通気性が抑止され、衛生用マスクを通気した吐息により眼鏡が曇ってしまうことを防止する効果もある。
【図面の簡単な説明】
【００１０】
【図１】本発明の全体構成を示す斜視図である。
【図２】図１の衛生用マスクが折れ線３を軸として口当てマスク部１が折り畳まれた状態を示す斜視図である。
【図３】図１の衛生用マスクを装着し、粘着性テープ４が直接顔面に貼りつけられた状態を示す側面図である。
【発明を実施するための形態】
【００１１】図面を参照して本発明の実施の形態について説明する。
上記の課題を解決するために、図１は上下方向の略中央において両側端を結ぶ折れ線３と、内側面上部に粘着性テープ４とを具備した不織布やガーゼなどの素材によって形成された扁平状の口当てマスク部１と、その口当てマスク部１の両側端に耳に装着するための２本の耳掛紐２とを備えた衛生用マスクである。
【００１２】折れ線３は、折れ線３によって上下に分割された口当てマスク部１の上半分、もしくは下半分を、外側方向、もしくは内側方向におよそ１８０度回転するよう形成された折れ目である。
【００１３】粘着性テープ４は弱粘性素材によって形成されており、不織布やガーゼなどの素材によって形成された口当てマスク部１や顔面に接着可能である。そして、表面にはカバーシールが装着されており、使用時にカバーシールを剥がすことによって粘着テープ４が露出する構造である。そのため、絆創膏などを口当てマスク部１の内側面上部に係止した商品構成であってもよい。
【００１４】図２は、折れ線３を軸として、口当てマスク部１の内側面上部の粘着性テープ４と、内側面下部の口当てマスク部１とが接するように折り畳まれた状態を示す斜視図である。粘着性テープ４と口当てマスク部１とが接するように口当てマスク部１が折り畳まれており、鼻や口に接する口当てマスク部１の内側面を密閉して、外部から内側面に対する細菌やウイルスなどの侵入を防止することができる。
【００１５】口当てマスク部１の内側面上部の粘着性テープ４と、内側面下部の口当てマスク部１とが接するように折り畳まれた状態において、左右の耳掛紐２のループを手で押し広げることによって、互いに接着状態の弱粘性の粘着性テープ４と内側面下部の口当てマスク部１が剥がれるため、折り畳まれていた口当てマスク部１が開き、再び装着可能な状態となる。
【００１６】図３は、粘着性テープ４が直接顔面に貼りつけられた状態を示す。粘着性テープ４の働きで口当てマスク部１と顔面との間の隙間が狭くなり、口当てマスク部１の上部の通気性が抑止される。その結果として、口当てマスク部１を通気した吐息により眼鏡が曇ってしまうことを防止できる。
【符号の説明】
【００１７】１  口当てマスク部
２  耳掛紐
３  折れ線
４  粘着性テープ
【図１】
2013169454.tif 000003
【図２】
2013169454.tif 000004
【図３】
2013169454.tif 000005
(57)【要約】【課題】  暗夜を歩行する際、他者に存在をアピールするための発光安全ワッペンを提供する。【解決手段】  本体の表面に、任意形状の反射部材を設け、その裏面に取り付け部を設け、安全ピンを装着したことを特徴とする発光機能付き安全ワッペン。【選択図】図１
2013169453.tif 000002
【特許請求の範囲】
【請求項１】
本体（１）の表面に、任意形状の反射部材（２）を設け、その裏面に取り付け部（３）を設け、安全ピン（４）を装着した発光機能付き安全ワッペン。
【発明の詳細な説明】
【技術分野】
【０００１】  本発明は、本体の表面に、任意形状の反射部材を設け、その裏面に取り付け部を設け、安全ピンを装着した発光機能付き安全ワッペンに関するものである。
【背景技術】
【０００２】  従来、暗夜を歩行する際、他者に存在をアピールするために、たすき（特許文献１参照）やキーホルダー（特許文献２参照）があった。
【先行技術文献】
【特許文献】
【０００３】
【特許文献１】  特開２００１−１５９０１６号公報
【特許文献２】  特開平１０−５１０７号公報
【発明の概要】
【発明が解決しようとする課題】
【０００４】  これには次のような欠点があった。
（イ）  たすきは外出中に日が暮れた場合、所持していないことがあるが、だからといって日中からたすきを身に付けて外出することは不自然な格好である。
（ロ）  また、たすきは肩幅の狭い子供には肩から滑り落ちてしまったり、首に絡まる恐れもあり携帯させることが危険であり、子供には不向きだと考えられる。
（ハ）  キーホルダーは動作により揺れる為、衣服に隠れてしまうなど存在感が小さい。
（ニ）  カバン等に貼り付ける反射テープは、一度剥がすと貼り直すことができない。
本発明はこれらの問題点を解決するためになされたものである。
【課題を解決するための手段】
【０００５】  本体の表面に、任意形状の反射部材を設け、その裏面に取り付け部を設け、安全ピンを装着した。
本発明は以上の構成よりなる発光機能付き安全ワッペンである。
【発明の効果】
【０００６】  安全ピンでの付け外しが可能な発光安全ワッペンであるため、以下の点において、暗夜を歩行する際、他者に存在をアピールすることができ、交通事故防止等の最良の手段となる。
（イ）  その日の衣服や所持品の特に目立つと思われる位置を選んで付けることができる。
（ロ）  アクセサリーとして日中から付けていても不自然さがなく、常に付けていることで携帯し忘れることがない。
（ハ）  動きの激しい子供でも落としてしまう可能性が低い。
（ニ）  安全ピンで付け外すことにより、さまざまな箇所に繰り返し使用することができる。
【発明を実施するための形態】
【０００７】  以下、本発明の実施の形態について説明する。
（イ）  本体（１）の上に、任意の形を形どった反射部材（２）を付ける。
（ロ）  （イ）の裏面に安全ピンを取り付けるための素材（３）を設け、そこへ安全ピン（４）を装着する。
本発明は以上の構成よりなっている。
本発明を使用するときは、外出時の衣服や所持品の特に目立つと思われる位置へ安全ピンで取り付ければよい。
本体の材質は特に限定しないが、装着した際に風でめくれたり、折れ曲がったままにならないよう、厚手の素材を用いるか、素材を２枚重ねたり、接着芯を用いるなどして強度を保つようにする。
図３に示すように、本体の裏面に名前記入用素材を取り付けたり、連絡先等を記入した紙を収納できるポケットを設け、名札や迷子札としての機能を兼ね備えるものにしてもよい。
図４に示すように、本体（１）、および反射部材（２）の形状は特に限定しない。例えば文字、数字、記号、植物、動物の形の他に、社章、校章などさまざまな自由なデザインを形どって組み合わせてもよい。
図５に示すように、反射部材（２）より一回り大きく切り抜いた素材を本体（１）と反射部材（２）の間に設け、補強してもよい。
図６に示すように、本体の表面には反射部材が隠れない程度の大きさのリボンやレース、ビーズ、ボタン等の部材を用いた装飾を施してもよい。
【図面の簡単な説明】
【０００８】
【図１】  本発明の斜視図
【図２】  本発明斜視図から見た裏面図
【図３】  本発明の他の実施例を示した斜視図
【図４】  本発明の他の実施例を示した斜視図
【図５】  本発明の他の実施例を示した斜視図
【図６】  本発明の他の実施例を示した斜視図
【符号の説明】
【０００９】  １  本体
２  反射部材
３  取付け部
４  安全ピン
５  名前記入用素材
６  補強素材
７  装飾部材
【図１】
2013169453.tif 000003
【図２】
2013169453.tif 000004
【図３】
2013169453.tif 000005
【図４】
2013169453.tif 000006
【図５】
2013169453.tif 000007
【図６】
2013169453.tif 000008
(57)【要約】      （修正有）【課題】電気を皮膚に流して使用し、驚かない程の強さで使い、目や脳などの能力の向上のために使用できる電流微少制限装置を提供する。【解決手段】交流電流を直流電流に換え、この電流を０．１Ｗ以下で使用し、プラス極に繋いだ線の端を皮膚に当てて使用する電流微少制限装置であって、ソケット１、ダイオード２、コンデンサー４、トランス１４、電球１７等を繋いだ回路で構成され、ソケット１を通して交流電流を流すと、直流のプラス極１０とマイナス極１１になり、プラス極１０の延長線の端を皮膚に当てて使用する。【選択図】図１
2013169461.tif 000002
【特許請求の範囲】
目のまぶたの目頭の外部の皮膚に、交流を直流に変えた電流を、プラス極の電極から通して、目の健康の向上を望む器具において、微少量の電流を通して、驚く程強くなく、通電を感じる程度の電流を起こす様に調整した電気器具の製作において、ソケット、ダイオード、コンデンサー、２本の巻線、電線の部品を使って、製作する電気器具の継ぎ方によって、所定の能力を作り出す方法として、ソケットの次にダイオードを、回路の線に直列に設定し、次にコンデンサーの１端を継ぎ、次に２重に捲いた捲線の２本の内の１本の端を、回路の線の端と継ぎ、次に捲線の２本目の線の端を、回路の線の他の端に継ぎ、次の回路の線の途中に、コンデンサーの他の端を継ぎ、回路の線は、元のソケットに到る。或は、ダイオードを、ソケットの外につけた、ソケット、２本の電線、プラグからなる器外器内の２本の電線中の１箇所に、直列に取り付け、このダイオードに対して、並列にコンデンサーを設置して、ソケットから交流電流を入れると、２重に捲いた捲線の４つの端の内、回路の線に連結していない２つの端の内、１つはプラス極になり、他の１つはマイナス極になり、この両極にソケットを継ぎ、ソケットに電球を入れ、プラス極に延長線を継ぎ、この延長線の端を皮膚に当てて、目的の強さの電流を得、又プラス極より放電して、より濃度の濃い活性水素が得られる微少電流の製造方法において、交流電流を通電した時に出来るプラス極、マイナス極にソケットを継ぎ電球を入れ、プラス極に延長線を継ぎ、その延長線の端を、皮膚に当てたり、放電したりする微少電流製作器の製造。
【発明の詳細な説明】
【技術分野】
【０００１】  この発明は健康の増進に関する。
【背景技術】
【０００２】  実用新案登録第３１７３２６３号
【発明が解決しようとする課題】
【０００３】  交流を直流に換え、この電流を０．１ｗ以下で使用し、これを目蓋の上に当てて使用し、驚かない程度に、且つ通電を意識する程度の電流を通す電気制御装置が、望まれていた。
【０００４】  この発明は、通電した時の感じが、何時でも同じで、驚く事のない、弱いと思う事も無い電流を、目蓋の外部の上から流す事によって、目及び脳の能力を向上さすものである。
【課題を解決する為の手段】
【０００５】  ソケット、ダイオード、コンデンサーの片端、トランス、コンデンサーの他の端、元のソケットを接続し、トランスの巻線の端の繋ぎ方に於いて巻線の端をＡ，Ａ’、Ｂ、Ｂ’としＡＢは同じ端側にあり、Ａ，Ａ’は同一線とし、無作為に、回路の線との一つの接点をＡ．とした時、２番目の接点はＢ又はＢ’とし、残りの２点は、プラス極、マイナス極に到る線に繋いで、ソケットを通して交流電流を通したら、０．１Ｗ、１２０Ｖの電気が出来、この時のトランスの巻線は、２本共、直径０．６５ｍｍ、長さは１．５ｍと０．９ｍ。しかしこの電力は弱過る為プラス極、マイナス極にソケットを連結し電球をつけて通電すると、両電極間の電圧は１０Ｖ上昇し、プラス極に延長線を繋いで丁度好い強度の電流を得た。
【発明の効果】
【０００６】  何時使用しても、電流の強さが、強過ぎず、弱過ぎず一定の強さの電気を得た。
【０００７】  目の疲労が、直ぐに良くなる。
【０００８】  冬季、戸外で自転車に乗るのに、冷たい空気が気管に痛く感じていたのが、シジミ系のアミノ酸のオルニチンを、２〜３日食べただけで気管に抵抗力が出来て痛まなくなった。
【０００９】  顔のイボにあった黒子の色が消えた。
【００１０】  遠い昔に、つきあっていた人の名前が思い出せた。
【００１１】  軽いぼけ、認知症が良くなる。
【発明を実施する為の形態】
【００１２】  図面を参照しながら説明する。図１は上から見た微少電流発生器の回路図で１はソケット、２はダイオード、３はコンデンサーの片端、４はコンデンサー、１４はトランス、１０はプラス極、１１はマイナス極。１の１３より入った電流は、２のダイオードを通り、３のコンデンサーの端の接点を通り、トランスの捲線の端の５を通り、自分の捲線でない相手の捲線の端６を通り、コンデンサーの端との接点９を通り、ソケット１の１２から外部に出る。１４のトランスの捲線の端の残りの２箇所８、７は、プラス極、マイナス極に到る線に連結し、プラス極、マイナス極にソケットを連結し電球をつけて通電すると両電極間の電圧は１３０Ｖになり、プラス極に延長線１８を繋いでその端を皮膚に当てた。
【図面の簡単な説明】
【００１３】
【図１】  微少電流発生器の回路図である。
【図２】  器外器の回路図である。
【符号の説明】
【０００１４】  １  ソケット
２  ダイオード
３  コンデンサーの１方の端
４  コンデンサー
５  トランスの捲線の端の１つ
６            〃
７            〃
８            〃
９  コンデンサーの端の１つ
１０  プラス極
１１  マイナス極
１２  ソケットの１つの先端
１３            〃
１４  トランス
１５  トランスの捲線
１６  プラグ
１７  電球
１８  延長線
【図１】
2013169461.tif 000003
【図２】
2013169461.tif 000004
(57)【要約】【課題】  安価な逆洗のできるストレーナを提供すること。【解決手段】  ストレーナ本体１に流体入口２と流体出口３と漉取部４を設ける。流体入口２には入口管路７を接続し、流体出口３には出口管路８を接続する。入口管路７を分岐して分岐管９を接続する。漉取部４に連通した管路５に差圧弁６を接続する。差圧弁６の一次圧検出管１５を入口管路７と接続し、二次圧検出管１２を出口管路８と接続する。  異物の漉取部４にゴミなどの異物が詰まって出口管路８内の流体圧力が低下すると、差圧弁６が自動的に開弁して異物の漉取部４が高圧の洗浄液によって自動的に清掃される。【選択図】図１
2013169476.tif 000002
【特許請求の範囲】
【請求項１】
流体入口と流体出口と漉取部からなるものにおいて、漉取部に管路を連通して差圧弁を取り付けて、当該差圧弁の一次圧検出管路の端部を、ストレーナ本体へ流体を供給する入口管路と接続すると共に、差圧弁の二次圧検出管路の端部を、ストレーナ本体の出口管路と連通したことを特徴とする逆洗のできるストレーナ。
【発明の詳細な説明】
【技術分野】
【０００１】
本発明は、流体中に含まれるゴミや錆、あるいは、スケール等の異物をろ過によって取り除くストレーナに関し、特にろ過部を逆洗してろ過部のつまりを防止する逆洗のできるストレーナに関する。
【背景技術】
【０００２】
ストレーナは、本体に流体流入口と流体流出口と連通口とを設け、本体内にＬ字状通路を有する回動自在なボール弁体を配置して、このＬ字状通路の内部に円錐状のフィルタを取り付けたもので、ボール弁体を回動することでフィルタを逆洗することができるものである。
【０００３】
このストレーナにおいては、本体を少なくとも三方口弁で構成しなければならず、高価なものとなってしまう問題があった。
【先行技術文献】
【特許文献】
【０００４】
【特許文献１】特開平１１−１１４３２１号公報
【発明の概要】
【発明が解決しようとする課題】
【０００５】
解決しようとする課題は、専用の三方口弁が不要で安価な逆洗のできるストレーナを提供すること。
【課題を解決するための手段】
【０００６】
本発明は、流体入口と流体出口と漉取部からなるものにおいて、漉取部に管路を連通して差圧弁を取り付けて、当該差圧弁の一次圧検出管路の端部を、ストレーナ本体へ流体を供給する入口管路と接続すると共に、差圧弁の二次圧検出管路の端部を、ストレーナ本体の出口管路と連通したものである。
【発明の効果】
【０００７】
本発明の逆洗のできるストレーナは、漉取部に管路を連通して差圧弁を取り付けて、当該差圧弁の一次圧検出管路の端部を、ストレーナ本体へ流体を供給する入口管路と接続すると共に、差圧弁の二次圧検出管路の端部を、ストレーナ本体の出口管路と連通したことによって、ストレーナの異物漉取部に異物が詰まって流体出口からの流体量が減少すると出口管路の圧力が低下して、差圧弁が自動的に開弁してストレーナの異物漉取部へ流体を供給することによって、異物漉取部は自動的に清掃される。
【図面の簡単な説明】
【０００８】
【図１】本発明の逆洗のできるストレーナの実施例を示す構成図。
【発明を実施するための最良の形態】
【０００９】
本発明の逆洗のできるストレーナは、ストレーナを用いるものであるが、このストレーナとしては、従来公知のＹ型ストレーナなどを用いることができる。
【実施例１】
【００１０】
図１は本発明の１実施例の構成図であって、ストレーナ本体１と、ストレーナ本体１に設けた流体入口２と流体出口３と漉取部４、及び、漉取部４と管路５で連通した差圧弁６とで逆洗のできるストレーナを構成する。
【００１１】
ストレーナ本体１の流体入口２には入口管路７を接続し、流体出口３には出口管路８を接続する。入口管路７からストレーナ本体１へ流入したゴミなどの異物を含んだ流体は、漉取部４で異物が漉し取られ、流体出口３から出口管路８へと流下するものである。
【００１２】
入口管路７を分岐した分岐管９を設けて、それぞれにバルブ１０、１１を取り付ける。
【００１３】
漉取部４の下端に接続した管路５に差圧弁６を取り付ける。差圧弁６の一次圧検出管路１５の端部を、ストレーナ本体１へ流体を供給する入口管路７と接続すると共に、差圧弁６の二次圧検出管路１２の端部を、ストレーナ本体１の出口管路８と連通する。出口管路８にはバルブ１３を取り付ける。差圧弁６の入口側に入口管１４を接続し、出口側には管路５を接続する。入口管１４は図示しない高圧の洗浄液源と接続する。差圧弁６は、二次圧検出管路１２の圧力が、一次圧検出管路１５の圧力よりも所定値だけ低下すると自動的に開弁するものである。
【００１４】
異物の漉取部４にゴミなどの異物が詰まって流体出口３へと流下する流体量が減少して出口管路８内の流体圧力が低下すると、差圧弁６が自動的に開弁して管路５と漉取部４から流体入口２側へ高圧の洗浄液を供給することによって、異物の漉取部４は自動的に清掃される。この場合、バルブ１０、１３を閉弁し、一方、バルブ１１を開弁することによって、異物の漉取部４から剥ぎ落とされた異物は系外へ排除される。
【００１５】
上述のように、専用の三方口弁を使用することなく、異物の漉取部４は自動的に清掃される。
【産業上の利用可能性】
【００１６】
本発明は、異物を多く含んだ水を、濾過部で濾過する逆洗のできるストレーナとして利用することができる。
【符号の説明】
【００１７】
１  ストレーナ本体
２  流体入口
３  流体出口
４  漉取部
５  管路
６  差圧弁
７  入口管路
８  出口管路
１２  二次圧検出管
１５  一次圧検出管
【図１】
2013169476.tif 000003
(57)【要約】【課題】  切替手段としての複数のバルブを不要にして、構造が簡単な蒸気加熱装置を得ること。【解決手段】  切換手段２２を介在して反応釜２０のジャケット部２５と、ヘッダータンク３８を連通する。ヘッダータンク３８の上部に正圧排出管３６を接続する。ヘッダータンク３８の下部に温度応動弁３９を連通する。ヘッダータンク３８へ大気圧以上の復水が流下してくると、正圧排出管３６から復水回収先へ回収され、９０℃以下の復水が流下してくると温度応動弁３９から系外へ排出される。【選択図】図１
2013169477.tif 000002
【特許請求の範囲】
【請求項１】
熱交換器の入口側へ圧力調整弁を介して加熱用の蒸気供給管を接続し、熱交換器の出口側に切換手段を介して大気圧又は大気圧以上の正圧排出管と、大気圧以下の負圧排出管とを接続したものにおいて、切換手段を、ヘッダータンクと、当該ヘッダータンクの下部に取り付けた温度応動弁とで形成したことを特徴とする蒸気加熱装置。
【発明の詳細な説明】
【技術分野】
【０００１】
本発明は、大気圧又は大気圧以上の正圧蒸気で被加熱物を加熱したり、あるいは、大気圧以下の負圧蒸気で加熱する蒸気加熱装置に関し、特に、加熱装置の出口側で、正圧蒸気の場合には復水の自圧回収手段へと切り換え、一方、負圧蒸気の場合には復水を大気中へと廃棄するように切り換えるものに関する。
【背景技術】
【０００２】
従来の蒸気加熱装置としては、熱交換器の二次側すなわち出口側に切替手段を介在して、エゼクタ式真空ポンプとスチームトラップを設けたもので、複数のバルブで構成する切替手段によって、真空ポンプとスチームトラップとを切り換えて使用するものである。
【先行技術文献】
【特許文献】
【０００３】
【特許文献１】特許第２５８９６０２号公報
【発明の概要】
【発明が解決しようとする課題】
【０００４】
上記従来の蒸気加熱装置では、切替手段として複数のバルブを用いて切り換える必要があり、加熱装置が複雑化してしまう問題があった。
【０００５】
従って本発明が解決しようとする課題は、切替手段としての複数のバルブを不要にして、構造がシンプルで安価な蒸気加熱装置を得ることである。
【課題を解決するための手段】
【０００６】
本発明は、熱交換器の入口側へ圧力調整弁を介して加熱用の蒸気供給管を接続し、熱交換器の出口側に切換手段を介して大気圧又は大気圧以上の正圧排出管と、大気圧以下の負圧排出管とを接続したものにおいて、切換手段を、ヘッダータンクと、当該ヘッダータンクの下部に取り付けた温度応動弁とで形成したものである。
【発明の効果】
【０００７】
本発明によれば、正圧蒸気と負圧蒸気の切替手段としての複数のバルブを不要にして、構造が簡単で安価な蒸気加熱装置とすることができる。
【図面の簡単な説明】
【０００８】
【図１】本発明の蒸気加熱装置の実施例を示す構成図。
【発明を実施するための形態】
【０００９】
本発明は、切換手段として温度応動弁を用いるものであるが、この温度応動弁は、流入してくる復水の温度に応じて開閉弁するものが好適である。
【実施例】
【００１０】
本実施例においては、熱交換器として反応釜２０を用いた例を示す。図１において、反応釜２０と、加熱用蒸気供給管２１と、切換手段２２と、正圧排出管３６と、負圧排出管３７と、ヘッダータンク３８、及び、温度応動弁３９とで蒸気加熱装置を構成する。
【００１１】
反応釜２０のほぼ全周にジャケット部２５を取り付けて、このジャケット部２５へ蒸気供給管２１を接続する。蒸気供給管２１には供給する蒸気の圧力すなわち温度を任意に制御するための圧力調整弁２６を介在する。反応釜２０の内部に収容した図示しない被加熱物をジャケット部２５へ供給する蒸気によって加熱するものである。
【００１２】
ジャケット部２５の下端に連通管２７を接続して切換手段２２のヘッダータンク３８と連通する。連通管２７には、ジャケット部２５で蒸気が熱を奪われて凝縮した復水だけを自動的に出口側へ排出するスチームトラップ２９と、トラップ２９をバイパスするバイパス弁３０を接続する。
【００１３】
ヘッダータンク３８の上部には、正圧排出管３６を接続する。正圧排出管３６の他端は、図示しない復水回収ポンプや大気圧状態の給水タンクなどへ接続する。
【００１４】
ヘッダータンク３８の下部には、温度応動弁３９を取り付ける。この温度応動弁３９は、ヘッダータンク３８から流下してきた復水の温度が９０℃以下の場合には自動的に開弁して、負圧排出管３７から系外へ復水を排出し、一方、流下してくる復水の温度が９０℃以上の場合は自動的に閉弁するものである。
【００１５】
温度応動弁３９としては、自力式の温度調整弁や温調トラップ等を用いることができる。
【００１６】
蒸気供給管２１と圧力調整弁２６から大気圧以上の正圧蒸気をジャケット部２５へ供給して反応釜２０を加熱する場合、加熱によって生じた復水は、連通管２７からスチームトラップ２９を通ってヘッダータンク３８へ流下する。大気圧以上の正圧蒸気の復水は、１００℃以上の温度があるために、温度応動弁３９は閉弁しており、大気圧以上の復水は正圧排出管３６から図示しない復水回収ポンプや大気圧状態の給水タンクなどへと流下する。
【００１７】
一方、圧力調整弁２６から大気圧以下の負圧蒸気をジャケット部２５へ供給して加熱する場合は、加熱によって生じた復水は、９０℃以下に温度が低下すると温度応動弁３９が自動的に開弁することによって、系外へ排出される。
【産業上の利用可能性】
【００１８】
本発明は、一つの加熱装置で、大気圧以上の正圧蒸気と、大気圧以下の負圧蒸気を交互に使用する蒸気加熱装置に利用することができる。
【符号の説明】
【００１９】
２０ 反応釜
２１  蒸気供給管
２２  切換手段
２７  連通管
２９  スチームトラップ
３６  正圧排出管
３７  負圧排出管
３８  ヘッダータンク
【図１】
2013169477.tif 000003
(57)【要約】      （修正有）【課題】従来のおひつの角隅にごはんつぶ等がしつこく残って、黒ずんだり雑菌の温床になったりするような問題点を解決し、角隅々まできれいに衛生的に保持し、節電効果にもつながる保温おひつを提供する。【解決手段】円筒状に形成され、上部を開口したおひつ２とその外側に設ける保温カバー３からなる保温おひつにおいて、おひつのフタ１は、おひつ本体２の開口部から本体の内底の近くまで、ほぼ全体を覆って重ね被せるように形成し、本体の保温カバー３は、おひつ２の外底から内底の少し上の高さまでを覆い重ねるように形成し、フタ１の保温カバー３は、フタ１を外から全面的に覆いつつ、本体の保温カバー３の外周壁の底端間近まで覆い重ねるように形成し、おひつ本体２の内側の縦壁と接する内底の外周辺は、さくり加工によってＲ形状５に形成した。【選択図】図１
2013169446.tif 000002
【特許請求の範囲】
【請求項１】
円筒状に形成され、上部を開口したおひつとその外側に設ける保温カバーからなる保温おひつにおいて、おひつのフタは、おひつ本体の開口部から本体の内底の近くまで、ほぼ全体を覆って重ね被せるように形成し、本体の保温カバーは、おひつの外底から内底の少し上の高さまでを覆い重ねるように形成し、フタの保温カバーは、フタを外から全面的に覆いつつ、本体の保温カバーの外周壁の底端間近まで覆い重ねるように形成し、おひつ本体の内側の縦壁と接する内底の外周辺は、さくり加工によってＲ形状に形成したことを特徴とする保温おひつ。
【発明の詳細な説明】
【技術分野】
【０００１】  本発明は、従来のおひつの角隅にごはんつぶ等がしつこく残って、黒ずんだり雑菌の温床になったりするような問題点を解決し、角隅々まできれいに衛生的に保持し、節電効果にもつながる保温おひつに関するものである。
【背景技術】
【０００２】  従来、おひつの内部のタテ壁と底面との境界をなすコーナーは、ほぼ直角の鋭い形状になっているのが一般的であった。
【発明の概要】
【発明が解決しようとする課題】
【０００３】  それには次のような問題点があった。
（イ）従来のおひつは、底面の周囲の壁面との境目は乾きにくかった。
ごはんつぶをきれいに取るのは大変だった。
雑菌の温床になりやすかった。
（ロ）従来のおひつの底のコーナー部は、湿り気が飛びにくく、黒ずみ劣化が目立ちやす    かった。
本発明は、以上の問題点を解決するためのものである。
【課題を解決するための手段】
【０００４】  おひつのフタは、おひつの本体の開口部から本体内底のあたりまで、ほぼ全体を覆って重ね被せるように形成する。
本体の保温カバーは、おひつの外底から内底の少し上の高さまでを覆い重ねるように形成する。
フタの保温カバーは、フタを外から全面的に覆いつつ、本体の保温カバーの外周壁の底端間近まで覆い重ねるように形成する。
おひつ本体の内側の縦壁と接する内底の外周辺は、さくり加工によってＲ形状に形成する。
以上のように構成された保温おひつである。
【発明の効果】
【０００５】  おひつを使用することで余分な水分を吸収し、朝炊いた御飯は、夕食時には、従来の炊飯器よりも美味しく食べられる。
おひつを使用することで、炊飯器を保温状態で長時間作動させる必要がなく、節電につながる。
また、コーナー部が丸味をもったＲ形状で表面積が大きくなり乾燥しやすく黒ずみを防ぐことができる。
さらにコーナー部に丸味があるため、御飯を残らずきれいにすくいとることができる。
おひつの底コーナー部にさくり加工によって丸味を付け御飯を取り易くし、乾燥しやすく、また、長時間継続してしっかり保温でき節電効果も大である。
【図面の簡単な説明】
【０００６】
【図１】  本発明の断面図である。
【図２】  本発明における内底外周辺のさくり加工を示した部分断面図である。
【発明を実施するための形態】
【０００７】  以下、本発明の実施の形態を説明する。
おひつ本体（２）の開口部から本体（２）の内底のあたりまでほぼ全体を覆って重ね被せるように形成する。
本体保温カバー（３）は、おひつの外底から内底の少し上の高さまでを覆い重ねるように形成する。
フタの保温カバー（４）は、フタを外から全面的に覆いつつ、本体の保温カバー（３）の外周壁の底端間近まで覆い重ねるように形成する。
おひつ本体（２）の内側の縦壁を接する内底の外周辺は、さくり加工によってＲ形状（５）に形成する。
本発明は以上のような構成であり、以下その実施の形態を説明する。
本発明を使用するときは、まず一番外側のフタの保温カバー（４）を持ち上げ取り外し、次に本体の保温カバー（３）を同様に取り外し、炊飯器から御飯を移し入れたり、保温されて冷めずに収容されていたホカホカの御飯を食事時によそったりする。
移し入れた御飯を保存したり、食べ終わったりしたときは、まず本体の保温カバー（３）を被せ、次にフタの保温カバーを被せればよい。
以上の様に御飯を直接収納するおひつ本体は、御飯の余分な水分を吸収し、おひつのフタは御飯を保温する。
さらに発泡スチロール製の保温カバーを被せて完璧に保温する。
おひつの内底周辺に施されたさくり加工によるＲ形状（５）のために、御飯つぶが、角にしつこく残るようなこともない。
洗うときも隅々まできれいに洗い落せるので、乾燥し易く、黒ずんだりすることもなく、衛生的に保持できる。
本発明は以上のように構成された保温おひつである。
【符号の説明】
【０００８】１  フタ
２  本体
３  本体の保温カバー
４  フタの保温カバー
５  Ｒ形状
【図１】
2013169446.tif 000003
【図２】
2013169446.tif 000004